(57)【要約】【課題】性具を用いた性的快楽を得るための行為を、疲労感を低減しつつ行うことができる性具ホルダを提供する。【解決手段】性具ホルダ１は、利用者により性具２を用いた性的快楽を得るための行為のために使用されるホルダである。性具ホルダ１は、性具２を保持するための性具保持器３と、回動可能に連結された一対の主杆５，６と、一対の主杆５，６の他方側同士を締結する締結部材７とを含む。第１の主杆５の一方側端部５ａには、性具ホルダ１を立脚させるための第１の脚部８が設けられている。第２の主杆６の一方側端部６ａには、性具ホルダ１を立脚させるための第２の脚部９が設けられている。締結部材７は、性具２を用いた自慰行為において、利用者が掴むための掴み部として機能する。【選択図】図１
2018061704.tif 000002
【特許請求の範囲】
【請求項１】
性具を保持可能に設けられ、前記性具を用いた性的快楽を得るための行為のために使用される性具ホルダであって、
２つの脚部と、
前記行為時に利用者が掴むための掴み部と、
前記２つの脚部および前記掴み部を支持する支持部とを含む、性具ホルダ。
【請求項２】
前記支持部は、一方側端部に前記脚部を有し、一端側が互いに連結された一対の主杆を含み、
前記掴み部は、前記主杆の他方側同士を締結する締結部を含む、請求項１に記載の性具ホルダ。
【請求項３】
前記締結部は、前記一対の主杆を包囲するリング部材を含み、
当該主杆の延びる方向に沿って前記一対の主杆における非対向側の側縁同士の間隔が変わるように、前記主杆にはテーパが設けられている、請求項２に記載の性具ホルダ。
【請求項４】
前記性具を保持する性具保持器をさらに含み、
前記支持部は、前記性具保持器を支持する、請求項１〜３のいずれか一項に記載の性具ホルダ。
【請求項５】
前記支持部は、前記性具保持器を上下動可能および／または姿勢変更可能に支持する、請求項４に記載の性具ホルダ。
【請求項６】
前記支持部は、一方側端部にそれぞれ前記脚部を有する一対の主杆を含み、
前記一対の主杆の間に前記性具保持器を挟んだ状態で、前記一対の主杆の他方側同士が締結されることにより、前記性具保持器が前記主杆に支持される、請求項４または５に記載の性具ホルダ。
【発明の詳細な説明】
【技術分野】
【０００１】
本発明は、性具を保持可能な性具ホルダに関する。
【背景技術】
【０００２】
従来から、生殖器や肉体を刺激し、性的快感を得る目的で使用される性具が知られている。性具は、たとえば自慰行為に用いられることがある。下記特許文献１，２には、容器内に男性器を挿入し、使用者が容器を前後方向に動かすことにより男性器をマッサージして、射精を促進させる男性器用マッサージ器具（男性用性具）が開示されている。また、下記特許文献３には、膣内に挿入し、その状態で動かすことにより膣内を刺激する女性器用マッサージ器具（女性用性具）が開示されている。これらの性具の使用は、性的快感を得る目的のほか、性機能障害や不感症の改善に役立つと認識されている。
【先行技術文献】
【特許文献】
【０００３】
【特許文献１】特開２０１５−１３９６２６号公報
【特許文献２】実登第３１９３９７３号公報
【特許文献３】特開２００７−２９６３００号公報
【発明の概要】
【発明が解決しようとする課題】
【０００４】
特許文献１，２に記載の男性器用マッサージ器具や特許文献３に記載の女性器用マッサージ器具では、その使用時において、利用者は性具を手（たとえば片手）で直接把持し、その状態で前後方向に往復動作させる。その往復動作によって利用者の腕に負担が掛かってしまい、疲労し易いという問題があった。
そこで、この発明の目的は、性具を用いた性的快楽を得るための行為を、疲労感を低減しつつ行うことができる性具ホルダを提供することである。
【課題を解決するための手段】
【０００５】
前記の目的を達成するための請求項１に記載の発明は、性具を保持可能に設けられ、前記性具を用いた性的快楽を得るための行為のために使用される性具ホルダであって、２つの脚部と、前記行為時に利用者が掴むための掴み部と、前記２つの脚部および前記掴み部を支持する支持部とを含む、性具ホルダを提供する。
請求項２に記載の発明は、前記支持部は、一方側端部に前記脚部を有し、一端側が互いに回動可能に連結された一対の主杆を含み、前記掴み部は、前記主杆の他方側同士を締結する締結部を含む、請求項１に記載の性具ホルダである。
【０００６】
請求項３に記載の発明は、前記締結部は、前記一対の主杆を包囲するリング部材を含み、当該主杆の延びる方向に沿って前記一対の主杆における非対向側の側縁同士の間隔が変わるように、前記主杆にはテーパが設けられている、請求項２に記載の性具ホルダである。
請求項４に記載の発明は、前記性具を保持するための性具保持器をさらに含み、前記支持部は、前記性具保持器を支持する、請求項１〜３のいずれか一項に記載の性具ホルダである。
【０００７】
請求項５に記載の発明は、前記支持部は、前記性具保持器を上下動可能および／または姿勢変更可能に支持する、請求項４に記載の性具ホルダである。
請求項６に記載の発明は、前記支持部は、一方側端部にそれぞれ前記脚部を有する一対の主杆を含み、前記一対の主杆の間に前記性具保持器を挟んだ状態で、前記一対の主杆の他方側同士が締結されることにより、前記性具保持器が前記主杆に支持される、請求項４または５に記載の性具ホルダである。
【発明の効果】
【０００８】
この発明によれば、性具を用いた性的快楽を得るための行為を、疲労感を低減しつつ行うことができる。
【図面の簡単な説明】
【０００９】
【図１】本発明の一実施形態に係る性具ホルダの斜視図である。
【図２】前記性具ホルダに含まれる一対の主杆の正面図である。
【図３】前記性具ホルダに含まれる回動軸の構成を示す断面図である。
【図４】前記性具ホルダに含まれる締結部材の構成を示す図である。
【図５】前記性具ホルダに含まれる性具保持器の構成を示す斜視図である。
【図６】前記性具ホルダの第１の使用態様における、脱落防止部材の前記性具保持器への取り付けを説明するための側面図である。
【図７】脱落防止部材の取り付け状態における、前記性具保持器の正面図である。
【図８】前記性具ホルダの第１の使用態様における、前記性具保持器への第１の性具の装着状態を示す断面図である。
【図９】前記性具保持器の構成を、図５とは異なる方向から見た斜視図である。
【図１０】前記性具ホルダの第２の使用態様における、前記脱落防止部材の前記性具保持器への取り付けを説明するための側面図である。
【図１１】脱落防止部材の取り付け状態における、前記性具保持器の背面図である。
【図１２】前記性具ホルダの第２の使用態様における、前記性具保持器への第２の性具の装着状態を示す断面図である。
【図１３】前記性具ホルダの第１の使用態様における、当該性具ホルダの使用方法を示す模式図である。
【図１４】前記性具ホルダの第２の使用態様における、当該性具ホルダの使用方法を示す模式図である。
【図１５】前記性具ホルダの第１の使用態様における、当該性具ホルダの別の使用方法を示す模式図である。
【図１６】本発明の他の実施形態に係る性具ホルダの斜視図である。
【図１７】前記性具ホルダに装着される性具保持器の構成を示す断面図である。
【図１８】本発明の変形例を説明するための断面図である。
【発明を実施するための形態】
【００１０】
以下では、本発明の実施形態を、添付図面を参照して詳細に説明する。
図１は、本発明の一実施形態に係る性具ホルダ１の斜視図である。
性具ホルダ１は、利用者により性具２を用いた性的快楽を得るための行為（たとえば自慰行為）のために使用されるホルダである。以下、性具ホルダ１の使用時において、利用者側を「前方」とし、利用者側の反対側を「後方」として説明する。また、利用者から見て左方を「左方」とし、利用者から見て右方を「右方」として説明する。
【００１１】
性具ホルダ１は、性具２を保持するための性具保持器３と、一端側が回動軸４まわりに回動自在に連結された一対の主杆（第１の主杆５および第２の主杆６）と、一対の主杆５，６の他方側同士を締結する締結部材７とを含む。第１の主杆５の一方側端部５ａには、性具ホルダ１を立脚させるための第１の脚部８が設けられている。第２の主杆６の一方側端部６ａには、性具ホルダ１を立脚させるための第２の脚部９が設けられている。各脚部８，９の下端には、半円柱状のパッド１０が設けられている。
【００１２】
一対の主杆５，６の間に性具保持器３を挟んだ状態で、一対の主杆５，６の他方側端部５ｂ，６ｂ同士が締結部材７によって締結されることにより、性具保持器３が一対の主杆５，６に支持（挟持）されている。締結部材７は、一対の主杆５，６の他方側端部５ｂ，６ｂ同士を包囲して緊縛するリング部材を含む。締結部材７は、性具２を用いた自慰行為時に利用者が掴むための掴み部として機能する。
【００１３】
図２は、性具ホルダ１に含まれる一対の主杆５，６の正面図である。図１および図２を参照して、一対の主杆５，６について説明する。各主杆５，６は、木製、合成樹脂製または金属製である、長手方向に直交する断面形状が方形をなしている。一対の主杆５，６が回動軸４まわりに回動自在に連結されているので、図２に示すように、主杆５，６の自由状態では、他方側端部５ｂ，６ｂは互いに離反可能である。
【００１４】
各主杆５，６において、対向側と反対側の反対側側面５ｃ，６ｃには、対向側と反対側に向けて突出するテーパ状突片１１が設けられている。テーパ状突片１１は、主杆５，６の他端（図１および図２の下端）から当該他端から全長の約１／３．５の領域（この領域を、他方側端部５ｂ，他方側端部６ｂという）に亘って形成され、反対側側面５ｃ，６ｃにおける厚み方向（前後方向）の前後端を除く部分から突出している。すなわち、他方側端部５ｂ，６ｂにおける主杆５，６の断面形状は、それぞれ互いに離反する方向に突出する向きのＴ字状をなしている。テーパ状突片１１は、下方に向かうに従って突出量が大きくなるように設けられており、正面視で直角三角形状をなしている。すなわち、一対の主杆５，６における非対向側の側縁５ｅ，６ｅには、他方側端部５ｂ，６ｂにおいて、他方側端縁（図１および図２の上方）に向かうに従って非対向側の側縁５ｅ，６ｅが狭くなるようなテーパ１２が設けられている。
【００１５】
各主杆５，６において、対向側の対向側側面５ｄ，６ｄには、前後方向の全域から対向側に向けて突出する落下防止用突片１３が設けられている。一対の落下防止用突片１３は、各主杆５，６における、長手方向の中央部から一端寄りの位置（たとえば一端から全長の約１／３の領域）に設けられている。一対の落下防止用突片１３の先端部同士は、所定の隙間を隔てて対向するように配置されている。各落下防止用突片１３には、対向側側面５ｄ，６ｄと直交する受け面１４が形成されている。
【００１６】
主杆５，６によって性具保持器３を挟持している状態で、一対の主杆５，６の他方側端部５ｂ，６ｂの間隔が大きくなりすぎると、主杆５，６による性具保持器３の支持が解除され、性具保持器３が下方に落下するおそれがある。仮に性具保持器３が落下した場合でも、受け面１４によって受け止めることができる。
各対向側の対向側側面５ｄ，６ｄにおいて、落下防止用突片１３よりも他端側の全域には、緩衝シート１５が配置されている。緩衝シート１５は、たとえば、発泡ゴム（ＮＢＲ発泡ゴム、アクリル発泡ゴム、シリコン発泡ゴム、フッ素発泡ゴム等）を用いて形成されている。そのため、対向側側面５ｄ，６ｄによって挟まれる性具保持器３の損傷の発生を抑制または防止できる。緩衝シート１５は、対向側側面５ｄ，６ｄだけでなく受け面１４の前面にも配置されている。そのため、受け面１４によって受け止められた性具保持器３の損傷の発生を抑制または防止できる。
【００１７】
第１の主杆５の一方側端部５ａには、前後端のそれぞれから右方に突出する一対の外側突片１６が設けられている。第２の主杆６の一方側端部６ａには、前後端を除く中央部から左方に突出する１つの内側突片１７が設けられている。
図３は、回動軸４の構成を示す断面図である。回動軸４は、各外側突片１６に設けられたねじ挿通穴１８と、内側突片１７に設けられたねじ挿通穴１９とを左右方向に貫通するように取り付けられるボルト２０と、ボルト２０の先端に締結して、ねじ挿通穴１８，１９からのボルト２０の抜け止めを図るナット２１とを含む。回動軸４として他の構成（たとえばヒンジ機構）が採用されていてもよい。
【００１８】
図４は、締結部材７の構成を示す図である。
締結部材７は、ベルト２３と、ベルト２３の一端部に設けられたバックル２２とを含む。ベルト２３の材質として、伸縮した難い材料（皮革、繊維等）が用いられている。バックル２２として、図４に示すようなピンバックルが採用されていてもよい。ベルト２３は無端状に設けられていてもよいが、この場合にはバックルは用いられない。ベルト２３に設けられるピン係合用穴は少なくとも１つあれば足りるが、サイズの異なる性具保持器３を主杆５，６によって支持することが可能なように、ベルト２３の長さを調整すべくピン係合用穴が複数形成されていてもよい。
【００１９】
図１に示すように、締結部材７の周囲長は、テーパ状突片１１の設けられていない領域では第１および第２の主杆５，６の全周を包囲可能であるが、テーパ状突片１１の最も高い位置では第１および第２の主杆５，６の全周を包囲不能な長さに設定されている。そのため、テーパ状突片１１を包囲している締結部材７を、主杆５，６の一方側端部５ａ，６ａに向けて移動させることにより、締結部材７が主杆５，６の他方側端部５ｂ，６ｂを緊縛して、主杆５，６の他方側端部５ｂ，６ｂを締結（閉塞）できる。反対に、テーパ状突片１１を包囲している締結部材７を、主杆５，６の他方側端縁（図１および図２の上方）に向けて移動させることにより、締結部材７による主杆５，６の他方側端部５ｂ，６ｂの緊縛が緩み、主杆５，６の他方側端部５ｂ，６ｂの締結を解除（開放）できる。
【００２０】
図５は、性具保持器３の構成を示す斜視図である。図６は、性具ホルダ１の第１の使用態様における、脱落防止部材４１の性具保持器３への取り付けを説明するための側面図である。図７は、脱落防止部材４１の取り付け状態における、性具保持器３の正面図である。図８は、性具ホルダ１の第１の使用態様における、性具保持器３への男性用性具２Ａの装着状態を示す断面図である。図９は、性具保持器３の構成を、図５とは異なる方向から見た斜視図である。図１０は、性具ホルダ１の第２の使用態様における、脱落防止部材４１の性具保持器３への取り付けを説明するための側面図である。図１１は、脱落防止部材４１の取り付け状態における、性具保持器３の背面図である。図１２は、性具ホルダ１の第２の使用態様における、性具保持器３への女性用性具２Ｂの装着状態を示す断面図である。図５〜図１２を参照しながら、性具保持器３について説明する。
【００２１】
性具保持器３は、前後端が開放した略四角筒状体からなる本体部３１を有する。本体部３１は、外側の面に、外側に張り出す円弧断面をそれぞれ有する上面３２および下面３３を有している。本体部３１は、硬質樹脂（ＰＶＣ、ポリプロピレン、ポリエチレン、ポリスチレン等）や金属（ステンレス、板金等）を用いて形成されている。本体部３１は、男性用性具２Ａ（図１および図８参照）および女性用性具２Ｂ（図１２参照）の双方を収容保持可能に設けられている。本体部３１の内部は、男性用性具２Ａを収容するための第１の収容室３４と、女性用性具２Ｂを収容するための第２の収容室３５とを備える。本体部３１の前側の開口は、男性用性具２Ａを第１の収容室３４内に収容させるための第１の収容口３６であり、本体部３１の後ろ側の開口は、女性用性具２Ｂを第２の収容室３５内に収容させるための第２の収容口３７である。
【００２２】
本体部３１の前端部には、男性用性具２Ａの前端部を下方から受けるための受け部６０が前方に張り出して設けられている。受け部６０は、本体部３１と一体的に設けられている。男性用性具２Ａの前端部は、それ以外の部分と比較して膨んでいる。そのため、第１の収容室３４への男性用性具２Ａの収容状態において第１の収容口３６から男性用性具２Ａの前端部が溢れ出る。男性用性具２Ａの前端部を受け部６０で受けることにより、男性用性具２Ａの前端部の垂れ落ちを抑えることができ、男性用性具２Ａを性具保持器３によって良好に保持できる。
【００２３】
本体部３１の前端縁、すなわち第１の収容口３６の外縁には、その全域に、第１の収容口３６の外縁を跨る第１の保護材３８が配置されている。また、本体部３１の後端縁、すなわち第２の収容口３７の外縁には、その全域に、第２の収容口３７の外縁を跨る第２の保護材３９が配置されている。第１および第２の保護材３８，３９は、たとえば、発泡ゴム（たとえばＮＢＲ発泡ゴム、アクリル発泡ゴム、シリコン発泡ゴム、フッ素発泡ゴム等）を用いて形成されている。性具ホルダ１の使用時には、第１の収容口３６の外縁または第２の収容口３７の外縁が利用者の男性器や下腹部に当たることがあるので、利用者の怪我を防止すべく、第１および第２の保護材３８，３９を配置したものである。
【００２４】
第１および第２の収容室３４，３５は、性具保持器３の内部を前後に仕切る平板状の仕切り板４０（図８参照）によって区画されている。第１の収容室３４は、男性用性具２Ａ（図１および図８参照）を丁度収容できるような広さに設定されており、第２の収容室３５は、女性用性具２Ｂ（図１２参照）の基部を丁度収容できるような広さに設定されている。第１の収容室３４は、第２の収容室３５に比べて広く設けられている。
【００２５】
性具保持器３は、さらに、性具２が本体部３１の内部から脱落することを防止するために、収容口３６，３７の一部を塞ぐ脱落防止部材４１と、脱落防止部材４１を本体部３１に支持させるための脱落防止部材支持部とを含む。
脱落防止部材４１は、この実施形態では一対設けられている。一対の脱落防止部材４１は、図７および図１１に示すように左右に並べてもよいし、たとえば上下に並べてもよい。脱落防止部材４１は、弾性を有する長尺体である。長尺体としてたとえばゴム製のものが採用され、この実施形態では輪ゴムが長尺体として用いられる。但し、長尺体としてゴム製以外のものを用いてもよい。
【００２６】
脱落防止部材支持部は、脱落防止部材４１を、第１の収容口３６を跨るように支持するための第１の脱落防止部材支持部と、脱落防止部材４１を、第２の収容口３７を跨るように支持するための第２の脱落防止部材支持部４４とを含む。
脱落防止部材４１と一対一対応で設けられる第１の脱落防止部材支持部は、左右一対設けられている。第１の脱落防止部材支持部は、脱落防止部材４１の上端を係止させるための上端係止部４５と、脱落防止部材４１の下端を係止させるための下端係止部４６と、脱落防止部材４１を挿通させるための第１の上側挿通部４７と、脱落防止部材４１を挿通させるための第１の下側挿通部４８とを含む。上端係止部４５は上面３２の前後方向の途中部に固定されており、下端係止部４６は下面３２の前後方向の途中部に固定されている。第１の上側挿通部４７および第１の下側挿通部４８は枠体からなる。第１の上側挿通部４７は上面３２の前端部に固定されており、第１の下側挿通部４８は下面３３の前端部に固定されている。
【００２７】
脱落防止部材４１と一対一対応で設けられる第２の脱落防止部材支持部は、左右一対設けられている。第２の脱落防止部材支持部は、上端係止部４５と、下端係止部４６と、脱落防止部材４１を挿通させるための第２の上側挿通部４９と、脱落防止部材４１を挿通させるための第２の下側挿通部５０とを含む。第２の上側挿通部４９および第２の下側挿通部５０は、枠体からなる。第２の上側挿通部４９は上面３２の後端部に固定されており、第２の下側挿通部５０は下面３３の前端部に固定されている。
【００２８】
この実施形態では、上端係止部４５は、前後方向にそれぞれ突出する側面視Ｔ字状をなしており、第１の収容口３６側および第２の収容口３７側のいずれの側からでも脱落防止部材４１を引っ掻け（係止）可能である。すなわち、この実施形態では、上端係止部４５を、脱落防止部材４１を第１の収容口３６に取り付ける場合と、脱落防止部材４１を第２の収容口３７側に取り付ける場合とで共用される。しかしながら、脱落防止部材４１を第１の収容口３６側に取り付ける場合と、脱落防止部材４１を第２の収容口３７側に取り付ける場合とで、互いに異なる上端係止部および下端係止部が用いられてもよい。
【００２９】
性具保持器３に男性用性具２Ａを収容して性具保持器３を使用する場合（以下、このときの使用状態を第１の使用状態という）には、図７に示すように、一対の脱落防止部材４１を、第１の収容口３６側に取り付ける。具体的には、図６に示すように、各脱落防止部材４１の上端を、第１の上側挿通部４７を介して上端係止部４５に係止させると共に、各脱落防止部材４１の下端を、第１の下側挿通部４８を介して下端係止部４６に係止させる。これにより、一対の脱落防止部材４１が第１の収容口３６を上下に跨るように本体部３１に取り付けられる。
【００３０】
そして、利用者は、男性用性具２Ａ（図８参照）を、第１の収容口３６を介して第１の収容室３４に収容する。そして、一対の脱落防止部材４１を男性用性具２Ａに前側からあてがう。これにより、第１の収容室３４からの男性用性具２Ａの脱落を防止できる。
図８に示すように、男性用性具２Ａは、男性器を女性器へ挿入する感覚を再現するために、女性器（膣口および膣）の構造を模ったものである。男性用性具２Ａは、たとえば軟質樹脂（たとえば、ゴム、シリコーン、塩化ビニール、熱可塑性エラストマー等）を用いて形成されている。男性用性具２Ａは、所定長さの筒状に外形形状を形成し、その内部には、円筒状の空洞部５１が形成されている。空洞部５１は、前側が開口して、膣口に相当する挿入口５２を形成している。空洞部５１の後端は閉塞または開口している。男性用性具２Ａは、市販品を採用し、種々の種類のものを採用できる。自慰行為時には、利用者（男性）が自身の男性器を、挿入口５２を介して空洞部５１に挿入する。
【００３１】
性具保持器３に女性用性具２Ｂ（図１２参照）を収容して性具保持器３を使用する場合（以下、このときの使用状態を第２の使用状態という）には、図１１に示すように、脱落防止部材４１を、第２の収容口３７を跨るように取り付ける。具体的には、図１０に示すように、各脱落防止部材４１の上端を、第２の上側挿通部４９を介して上端係止部４５に係止させると共に、各脱落防止部材４１の下端を、第２の下側挿通部５０を介して下端係止部４６に係止させる。これにより、図１１に示すように、一対の脱落防止部材４１が第２の収容口３７を跨るように本体部３１に取り付けられる。
【００３２】
そして、利用者は、女性用性具２Ｂ（図１２参照）を、第１の収容口３６を介して第２の収容室３５に収容する。そして、一対の脱落防止部材４１を女性用性具２Ｂに後側からあてがい、これにより、第２の収容室３５からの女性用性具２Ｂの脱落を防止できる。
図１２に示すように、女性用性具２Ｂは、女性器に男性器を挿入する感覚を再現するために、男性器の形状を模ったものである。女性用性具２Ｂは、たとえば軟質樹脂（たとえば、ゴム、シリコーン等）製であってもよいし、ガラス等の硬い材料を用いて形成されてもよい。女性用性具２Ｂは、基部と、基部から突出して男性器の形状を模った突出部とを含む。
【００３３】
次に、性具ホルダ１の使用方法について説明する。図１３は、性具ホルダ１の第１の使用態様における、性具ホルダ１の使用方法を示す模式図である。性具ホルダ１の第１の使用態様で、利用者（男性利用者）Ｕ１が自慰行為を行う場合には、たとえば利用者は、椅子Ｃに浅く座って腰を前方に突き出し、その状態で、自身の股の間に、２つの脚部８，９が左右に並ぶように性具ホルダ１を床の上に立設させる。利用者Ｕ１は、自身の男性器を男性用性具２Ａの内部に挿入する。そして、利用者Ｕ１は、締結部材７を片手で掴み、性具ホルダ１を手動により２つの脚部８，９を支点として往復揺動させる。性具ホルダ１の往復揺動により、男性用性具２Ａが利用者Ｕ１の男性器に対し前後方向に往復移動する。これにより、利用者Ｕ１は、快楽を得ることができる。利用者Ｕ１が椅子Ｃに浅く座るために、自慰行為時に性具ホルダ１が椅子Ｃに当たることを防止できる。
【００３４】
図１４は、性具ホルダ１の第２の使用態様における、性具ホルダ１の使用方法を示す模式図である。性具ホルダ１の第２の使用態様では、第１の使用態様から性具ホルダ１を前後反転させる。性具ホルダ１の第２の使用態様で、利用者（女性利用者）Ｕ２が自慰行為を行う場合（性具保持器３に女性用性具２ｂを収容した状態で性具保持器３を使用する場合）には、たとえば利用者は、椅子Ｃに座った状態で、自身の股の間に、２つの脚部８，９が左右に並ぶように性具ホルダ１を床の上に立設させる。利用者Ｕ２は、自身の女性器の内部に女性用性具２Ｂを挿入する。そして、利用者Ｕ２は、締結部材７を片手で掴み、性具ホルダ１を手動により２つの脚部８，９を支点として往復揺動させる。性具ホルダ１の往復揺動により、女性用性具２Ｂが利用者Ｕ２の女性器に対し前後方向に往復移動する。これにより、利用者Ｕ２は、快楽を得ることができる。利用者Ｕ２が椅子Ｃに浅く座るために、自慰行為時に性具ホルダ１が椅子Ｃに当たることを防止できる。
【００３５】
なお、利用者Ｕ２は椅子Ｃにもたれかかり、かつ台（図示しない）の上に足を乗せた姿勢で自慰行為を行うことができ、この場合、より楽な姿勢で自慰行為を行うことができる。
性具ホルダ１は、椅子Ｃに座った姿勢に限られず、利用者が立った姿勢でも、自慰行為に用いることができる。図１５は、性具ホルダ１の第１の使用態様における、性具ホルダ１の別の使用方法を示す模式図である。図１５に示すように、性具ホルダ１を壁Ｗ等に立て掛ける。利用者Ｕ１は、性具ホルダ１に対向するように立ち、自身の男性器を男性用性具２Ａの内部に挿入する。そして、この状態で、利用者Ｕ１は、自身の腰を動かして、男性器を男性用性具２Ａに対し前後方向に往復移動する。これにより、利用者Ｕ１は、快楽を得ることができる。自慰行為中に利用者は、締結部材７を掴んでいてもよいし、性具ホルダ１の他の部分（たとえば主杆５，６）を掴んでいてもよい。
【００３６】
この実施形態によれば、第１の使用態様および第２の使用態様の双方において、自慰行為（性的な快楽を得るための行為）時には、２つの脚部８，９が左右に並ぶように性具ホルダ１を立設させ、その状態で、締結部材７を利用者が掴み、性具ホルダ１を２つの脚部８，９を支点として往復揺動させる。性具ホルダ１の往復揺動により、性具保持器３に保持された性具２が利用者に対し前後方向に往復移動する。このとき、支点として機能する２つの脚部８，９によって性具２の重量が受けられる。そのため、利用者の腕にかかる負担を低減することができる。これにより、性具２を用いた自慰行為を、疲労感を低減しつつ行うことができる。
【００３７】
また、２つの脚部８，９を支点として性具ホルダ１が往復揺動させられるので、性具ホルダ１をぐらつくことなく、安定した状態で性具２を往復移動させることができ、さらに、性具２を用いた自慰行為を、安定的に行うことができる。そして、疲労感を低減しつつおよび／または安定した状態で性具２を往復動作させることができる結果、利用者は、自慰行為に集中することができ、より大きな性的快楽を得ることができる。
【００３８】
また、性具２を往復移動させるべく、性具ホルダ１を手動で往復揺動させるので、モータ等の電動アクチュエータの動力を用いて性具２を往復移動させる場合と比較して、自慰行為を、ほとんど音を発生させずに行うことができる。
また、締結部材７が左右方向に延びているため、利用者は、締結部材７を容易に片手で掴むことができ、性具ホルダ１の往復揺動を片手で操作することが可能である。
【００３９】
また、一対の主杆５，６の間に性具保持器３を挟んだ状態で、一対の主杆５，６の他方側端部５ｂ，６ｂ同士が締結部材７によって締結されることにより、性具保持器３が一対の主杆５，６に支持される。これにより、性具保持器３の一対の主杆５，６への取り付けを簡単に行うことができる。
また、性具ホルダ１において、性具保持器３を、任意の高さ位置および姿勢（回動方向位置）で、一対の主杆に支持させることができる。これにより、性具２が利用者の好みの高さ位置および姿勢となるように、性具保持器３の高さ位置および姿勢を設定できる。
【００４０】
また、利用者が片手で締結部材７を主杆５，６の他方側端縁（図１および図２の上方）に向けて移動させることにより、一対の主杆５，６による性具保持器３の挟持度合いを緩めることでき、これと併せて、他方の手で、性具保持器３の高さ位置および／または姿勢を、適度な刺激を得られるようなものに調整することも可能である。これにより、性具保持器３（すなわち、性具２）の高さ位置および／または姿勢の調整を、スムーズかつ短時間に行うことができる。そのため、自慰行為の合間に、性具２の位置等の微調整を行うことも可能である。
【００４１】
また、性具保持器３は、男性用性具２Ａおよび女性用性具２Ｂの双方を保持可能である。そのため、性具ホルダ１を男女のパートナーで共用することができ、男性用性具２Ａを保持する性具ホルダと、女性用性具２Ｂを保持する性具ホルダとの双方を別々に用意する必要がないから、コスト面や収納スペースの観点からメリットがある。
図１６は、本発明の他の実施形態に係る性具ホルダ１０１の斜視図である。図１７は、性具ホルダ１０１に装着される性具保持器２０３の構成を示す断面図である。
【００４２】
図１６および図１７に係る性具ホルダ１０１が、性具ホルダ１と相違する主たる点は、性具ホルダ１０１は性具保持器を備えていない点である。性具ホルダ１０１の使用時（自慰行為時）には、性具２０２（たとえば図１７では男性用性具）を内蔵している性具保持器２０３が、利用者によって後付けにより装着される。
性具保持器２０３は、前後に開放する筒状の本体部２０４と、本体部２０４の後端部２０４ｂを閉塞する蓋２０５と、本体部２０４の前端部２０４ａに内嵌により嵌合固定された嵌合リング２０７とを含む。本体部２０４に性具２０２を収容した状態において、嵌合リング２０７を、性具２０２の表面に設けられた溝２０６に嵌合しており、これにより、本体部２０４からの性具２０２の抜け止めが図られる。
【００４３】
以上、この発明の２つの実施形態について説明したが、本発明は、さらに、他の形態で実施することもできる。
たとえば、図１８に示すように、男性用性具２Ａに、たとえば円筒状の筒状部材３００が外嵌されていてもよい。筒状部材３００は、たとえば男性用性具２Ａと同様の材質を用いて形成されている。円筒部材３００は、図１８に示すように、男性用性具２Ａが第１の収容室３４の容積に比べて大きい場合に、その余分な空間を埋めるためのスペーサとして用いられていてもよい。また、男性用性具２Ａに外嵌される筒状部材３００により男性用性具２Ａが空洞部５１が狭くなるために、男性用性具２Ａの男性器への締め付け力を向上させることができ、その結果、利用者（男性利用者）の自慰行為時における快楽度合いを向上させることができる。
【００４４】
また、テーパ状突片１１の平面視の形状は、前述のものに限られない。すなわち、他方側端部５ｂ，６ｂにおける主杆５，６の断面形状はＴ字状に限られず、Ｉ字状であってもよいし、側縁５ｅ，６ｅが断面円弧状に形成されていてもよい。
また、第１の主杆５の側縁５ｅおよび第２の主杆６の側縁６ｅの双方にテーパ１２を設けるとしたが、テーパ１２を側縁５ｅ，６ｅの一方にのみ設けてもよい。
【００４５】
また、テーパ１２が、一方側端部５ａ，６ａに向かうに従って非対向側の側縁５ｅ，６ｅが狭くなっていてもよい。また、テーパ１２が設けられていなくてもよい。
また、締結部材７は、他方側端部５ｂ，６ｂではなく、他方側端部５ｂ，６ｂよりも一方側の部分を締結するようにしてもよい。
また、締結部材７は、一対の主杆５，６に対して取り外し不能に設けられていてもよい。この場合、締結部材７は金具等によって構成されていてもよい。
【００４６】
また、利用者が掴むための掴み部が、性具ホルダ１，２０１において、締結部材７とは別に設けられていてもよい。
また、性具ホルダ１が男女共用であるとして説明したが、男性専用または女性専用であってもよい。この場合、性具保持器３の第１および第２の収容室３４，３５の双方が男性用性具２Ａ収容用であってもよいし、双方が女性用性具２Ｂ収容用であってもよい。
【００４７】
また、性具ホルダ１の性具保持器３が、複数の性具２を収容可能な構成でなく、性具２を１つのみ収容可能に設けられていてもよい。
また、性具ホルダ１，２０１は前記構成に限られず、２つの脚部８，９と、利用者が掴むための掴み部と、脚部８，９および掴み部を支持する（連結する）支持部とを備えていればよい。
【００４８】
また、性具ホルダ１，２０１は、自慰行為に用いられる他、複数の利用者によってそのうちの1人が性的な快楽を得るために、用いられてもよい。
その他、特許請求の範囲に記載された事項の範囲で種々の設計変更を施すことが可能である。
【符号の説明】
【００４９】
１：性具ホルダ、２：性具、３：性具保持器、５，６：主杆、５ａ，６ａ：一方側端部、５ｂ，６ｂ：他方側端部、５ｅ，６ｅ：非対向側の側縁、７：締結部材７（締結部）、８：第１の脚部、９：第２の脚部、１２：テーパ、２０１、性具ホルダ
【図１】
2018061704.tif 000003
【図２】
2018061704.tif 000004
【図３】
2018061704.tif 000005
【図４】
2018061704.tif 000006
【図５】
2018061704.tif 000007
【図６】
2018061704.tif 000008
【図７】
2018061704.tif 000009
【図８】
2018061704.tif 000010
【図９】
2018061704.tif 000011
【図１０】
2018061704.tif 000012
【図１１】
2018061704.tif 000013
【図１２】
2018061704.tif 000014
【図１３】
2018061704.tif 000015
【図１４】
2018061704.tif 000016
【図１５】
2018061704.tif 000017
【図１６】
2018061704.tif 000018
【図１７】
2018061704.tif 000019
【図１８】
2018061704.tif 000020
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
性具を保持可能に設けられ、前記性具を用いた性的快楽を得るための行為のために使用される性具ホルダであって、
前記行為時に利用者が掴むための掴み部であって、所定方向に沿って延びる掴み部と、
前記所定方向に沿って間隔を空けて並置された２つの脚部であって、前記所定方向に関して前記掴み部の中央と当該２つの脚部の中央とが揃うように設けられた２つの脚部と、
前記２つの脚部および前記掴み部を支持する支持部とを含む、性具ホルダ。
【請求項２】
前記支持部は、一方側端部に前記脚部を有し、一端側が互いに連結された一対の主杆を含み、
前記掴み部は、前記主杆の他方側同士を連結する連結部を含む、請求項１に記載の性具ホルダ。
【請求項３】
前記連結部は、前記一対の主杆を包囲するリング部材を含み、
当該主杆の延びる方向に沿って前記一対の主杆における非対向側の側縁同士の間隔が変わるように、前記主杆にはテーパが設けられている、請求項２に記載の性具ホルダ。
【請求項４】
前記性具を保持する性具保持器をさらに含み、
前記支持部は、前記性具保持器を支持する、請求項１〜３のいずれか一項に記載の性具ホルダ。
【請求項５】
前記支持部は、前記性具保持器を上下動可能および／または姿勢変更可能に支持する、請求項４に記載の性具ホルダ。
【請求項６】
前記支持部は、一方側端部にそれぞれ前記脚部を有する一対の主杆を含み、
前記一対の主杆の間に前記性具保持器を挟んだ状態で、前記一対の主杆の他方側同士が連結されることにより、前記性具保持器が前記主杆に支持される、請求項４または５に記載の性具ホルダ。
【手続補正２】
【補正対象書類名】明細書
【補正対象項目名】０００５
【補正方法】変更
【補正の内容】
【０００５】
前記の目的を達成するための請求項１に記載の発明は、性具を保持可能に設けられ、前記性具を用いた性的快楽を得るための行為のために使用される性具ホルダであって、前記行為時に利用者が掴むための掴み部であって、所定方向に沿って延びる掴み部と、前記所定方向に沿って間隔を空けて並置された２つの脚部であって、前記所定方向に関して前記掴み部の中央と当該２つの脚部の中央とが揃うように設けられた２つの脚部と、前記２つの脚部および前記掴み部を支持する支持部とを含む、性具ホルダを提供する。
請求項２に記載の発明は、前記支持部は、一方側端部に前記脚部を有し、一端側が互いに連結された一対の主杆を含み、前記掴み部は、前記主杆の他方側同士を連結する連結部を含む、請求項１に記載の性具ホルダである。